(57)【特許請求の範囲】
【請求項１】
下部走行体上に上部旋回体が搭載され、この上部旋回体を構成するアッパーフレームの前部に、左右両側支柱と横手摺りを備えたハンドレールが取付けられる建設機械において、上記ハンドレールの両側支柱の下端を上記アッパーフレームの底部上面に取付けるとともに、床面を形成するフロアプレートの前端部を、上記アッパーフレームに対する両側支柱の取付位置よりも高位置で、両側支柱に跨って取付けたことを特徴とする建設機械。
【請求項２】
鋳造されたアッパーフレームの底部にハンドレール取付座を設け、このハンドレール取付座に上下方向に貫通する取付穴を設ける一方、ハンドレールの両側支柱の下端に、ねじ穴を備えた取付板を固定し、取付ねじを、上記取付穴を下から貫通する状態で上記取付板のねじ穴にねじ込むことによってハンドレールの両側支柱をアッパーフレーム底部に取付けたことを特徴とする請求項１記載の建設機械。
【請求項３】
ハンドレールの両側支柱間にフロアプレート取付用の座板を懸架固定し、フロアプレートの前端部をこの座板に取付けたことを特徴とする請求項１または２記載の建設機械。
【請求項４】
座板及びフロアプレートの前端部の相対応する位置にそれぞれ切欠を相対向して設け、この両者の切欠によってレバー貫通穴を形成するとともに、操作レバーをこのレバー貫通穴に貫通させた状態での余剰隙間を塞ぐブーツの下端部をレバー貫通穴の周縁部に係合させて止め付けるように構成したことを特徴とする請求項３記載の建設機械。
【発明の詳細な説明】
【技術分野】
【０００１】
本発明は小形の油圧ショベルのように上部旋回体にハンドレールが取付けられる建設機械に関するものである。
【背景技術】
【０００２】
本発明の好適例である小形の油圧ショベル（ミニショベルと称される）を例にとって背景技術を説明する。
【０００３】
このショベルは、図７に示すようにクローラ式の下部走行体１と、この下部走行体１上に縦軸まわりに旋回自在に搭載された上部旋回体２と、この上部旋回体２の前端部に装着された作業アタッチメント３とによって構成される。
【０００４】
作業アタッチメント３は起伏自在なブーム４を備え、このブーム４の先端にアーム５、このアーム５の先端にバケット６がそれぞれ取付けられて構成される。７はブーム４を起伏させるブーム起伏シリンダ、８はアーム５を作動させるアームシリンダ、９はバケット６を作動させるバケットシリンダである。
【０００５】
上部旋回体２はアッパーフレーム１０を有し、このアッパーフレーム１０をベースとして運転席１１やエンジンその他の機器類（図示しない）、操作装置（二種類の操作レバー１２,１３を例示している）が設けられる。
【０００６】
また、上部旋回体２における運転席１１の前方にほぼ全幅に亘ってハンドレール１４が取付けられ、このハンドレール１４の直前方に作業アタッチメント３が装着される。
【０００７】
ハンドレール１４は、図８に示すように、左右両側の支柱１５，１５と横手摺り１６とから成り、運転者が前方に身を乗り出して掘削部分を確認する際や乗降時に体を支える役割を果たす。
【０００８】
図８は板金フレーム、すなわち、複数の金属板材を溶接結合して構成されたアッパーフレーム１０Ａにハンドレール１４を取付けた場合を示す。
【０００９】
この板金製アッパーフレーム１０Ａの場合、左右両側にサイドデッキ１７,１７が取付けられ、この両側サイドデッキ１７,１７に跨ってフロアプレート１８が取付けられるとともに、このフロアプレート１８の上面にハンドレール１４の両側支柱１５,１５の下端部がボルト止めされる。
【００１０】
板金製アッパーフレームの構成は特許文献１に、同フレームに対するハンドレールの取付構造は特許文献２にそれぞれ示されている。
【００１１】
一方、鋳造フレーム、すなわち、全体が一体物として鋳造されたアッパーフレームの場合、従来は、図９に示すようにアッパーフレーム１０Ｂの底部左右両側（図では片側のみを示す）に丈の高い柱状のボス１９が設けられ、フロアプレート１８がこのボス１９の上端に取付けられるとともに、このフロアプレート１８にハンドレール支柱１５がボルト止めされる。２０はフロアプレート１８をボス１９に取付けるボルト、２１はハンドレール支柱１５をフロアプレート１８に取付けるボルト、２２は同ナットである。
【００１２】
なお、この場合、サイドデッキ１７はフロアプレート１８を取付けるための部材としては機能しない。
【００１３】
このような鋳造製アッパーフレームの構成は特許文献３に示されている。
【特許文献１】特開２００１−１０７３８８号公報
【特許文献２】特開２００１−１０７３９６号公報
【特許文献３】特開２００３−２０６８３号公報
【発明の開示】
【発明が解決しようとする課題】
【００１４】
ところが、従来は、板金製、鋳造製両アッパーフレーム１０Ａ,１０Ｂのいずれの場合も、ハンドレール１４の両側支柱１５,１５の下端のみをフロアプレート１８に取付け、支持する構成であるため、ハンドレール１４の取付強度の向上に限度があった。
【００１５】
また、図９に示す鋳造製アッパーフレーム１０Ｂの場合、丈の高いボス１９を同フレーム底面に設けなければならないため、その鋳造コストが高くなるという問題があった。
【００１６】
そこで本発明は、ハンドレールの取付強度及びハンドレールそのものの強度を高め、しかも鋳造製アッパーフレームの場合に鋳造コストを安くすることができる建設機械を提供するものである。
【課題を解決するための手段】
【００１７】
請求項１の発明は、下部走行体上に上部旋回体が搭載され、この上部旋回体を構成するアッパーフレームの前部に、左右両側支柱と横手摺りを備えたハンドレールが取付けられる建設機械において、上記ハンドレールの両側支柱の下端を上記アッパーフレームの底部上面に取付けるとともに、床面を形成するフロアプレートの前端部を、上記アッパーフレームに対する両側支柱の取付位置よりも高位置で、両側支柱に跨って取付けたものである。
【００１８】
請求項２の発明は、請求項１の構成において、鋳造されたアッパーフレームの底部にハンドレール取付座を設け、このハンドレール取付座に上下方向に貫通する取付穴を設ける一方、ハンドレールの両側支柱の下端に、ねじ穴を備えた取付板を固定し、取付ねじを、上記取付穴を下から貫通する状態で上記取付板のねじ穴にねじ込むことによってハンドレールの両側支柱をアッパーフレーム底部に取付けたものである。
【００１９】
請求項３の発明は、請求項１または２の構成において、ハンドレールの両側支柱間にフロアプレート取付用の座板を懸架固定し、フロアプレートの前端部をこの座板に取付けたものである。
【００２０】
請求項４の発明は、請求項３の構成において、座板及びフロアプレートの前端部の相対応する位置にそれぞれ切欠を相対向して設け、この両者の切欠によってレバー貫通穴を形成するとともに、操作レバーをこのレバー貫通穴に貫通させた状態での余剰隙間を塞ぐブーツの下端部をレバー貫通穴の周縁部に係合させて止め付けるように構成したものである。
【発明の効果】
【００２１】
本発明によると、ハンドレールの両側支柱の下端をアッパーフレームの底部上面に取付けるとともに、この取付位置よりも高位置で両側支柱にフロアプレートの前端部を取付けるため、両側支柱をそれぞれ下端と中間の二個所で固定し、かつ、荷重を分担できることにより、ハンドレールの取付強度、及びハンドレールそのものの強度を高めることができる。
【００２２】
また、鋳造製のアッパーフレームの場合に、従来のようにフロアプレートを取付けるための丈の高い取付ボスをアッパーフレーム底面に設ける必要がなくなる。このため、アッパーフレームの鋳造コストを安くすることができる。
【００２３】
請求項２の発明によると、鋳造アッパーフレームにとって加工が非常に面倒なねじ穴を設ける必要がないため、アッパーフレームの加工が容易で加工コストが安くてすむ。
【００２４】
また、アッパーフレームの裏側からねじ止めするため、表側からねじ止めする場合と比べて作業空間が広くて障害物もないことからアッパーフレームに対する支柱下端の取付作業が容易となる。
【００２５】
請求項３,４の発明によると、フロアプレートの前端部全体を座板で支持できるため、前端部左右両側の二点のみをボスに取付ける場合と比べて同プレートの取付強度を高めることができる。
【００２６】
また、両側支柱に小形・軽量の座板を取付けた後、大形・大重量のフロアプレートの前端部をこの座板に載せて取付ける手順をとることができるため、組み付け性が良く、機械の組立が容易となる。
【００２７】
さらに、従来、フロアプレートに組み付けられていたフロントカバーやペダル、操作レバー等のフロア組み付け部材をこの座板に組み付けることができる。このため、部品点数を節減してコストダウンし得るとともに、機械の組立が一層容易となる。
【００２８】
この場合、請求項４の発明によると、座板とフロアプレートに切欠を設け、この切欠によってレバー貫通穴を形成するとともに、操作レバーを貫通させた状態でのレバー貫通穴の余剰隙間を塞ぐブーツの下端部をレバー貫通穴の周縁部に係合させて止め付ける構成としたから、ブーツ取付専用部材が不要となる分、部品点数及び組立工数を節減し、コストダウン及び組立性の向上を実現することができる。
【００２９】
また、フロアプレート及びブーツを取外した状態で、座板の切欠によってフロア下の空間を大きく開放することができるため、操作レバーのリンクまわり等のメンテナンスの点で有利となる。
【発明を実施するための最良の形態】
【００３０】
本発明の実施形態を図１〜図６によって説明する。
【００３１】
以下の実施形態では、鋳造製のアッパーフレーム３０を用いた場合を例にとっている。
【００３２】
第１実施形態（図１〜図３参照）
アッパーフレーム３０は、図１,２に示すように周囲に立ち上がり縁部３０ｂを備えた浅底器状に形成され、底部３０ａの前端部左右両側にハンドレール取付座３１,３１が設けられている。
【００３３】
ハンドレール取付座３１,３１は、部分的に厚肉として上向きに少し膨隆させるだけでよく、図９中のボス１９のように柱状に長く突出させる必要はない。
【００３４】
このハンドレール取付座３１,３１には、上下方向に貫通する取付穴（ねじ穴ではなく単なる貫通穴）３１ａが設けられている。
【００３５】
一方、ハンドレール３２は、両側支柱３３,３３と横手摺り３４とから成り、両側支柱３３,３３の下端に取付板３５,３５が取付けられている。
【００３６】
この取付板３５,３５にはねじ穴３６（図２参照）が設けられ、取付ねじ（ボルト）３７が、ハンドレール取付座３１,３１の取付穴３１ａを下から貫通する状態でねじ穴３６にねじ込まれることにより、両側支柱３３,３３の下端がアッパーフレーム底部３０ａに取付けられている。
【００３７】
また、ハンドレール両側支柱３３,３３の下部における上記アッパーフレーム底部３０ａに対する取付点よりも高い位置に、フロアプレート取付用の座板３８が水平に取付けられている。
【００３８】
この座板３８は、左右両端部が両側支柱３３,３３の外周面に溶接されることによって両側支柱３３,３３に懸架固定され、床面を形成するフロアプレート３９の前端部左右両側がこの座板３８の上面に、また後端部左右両側が、アッパーフレーム３０上に別途取付けられた左右のブラケット４０,４１にそれぞれボルト４２…、ナット４３…によって取付けられている。
【００３９】
なお、座板３８には、図１に示すように左右方向の中央部が後向きに平面視Ｕ字形に屈曲形成されることによってレバー貫通穴４４が形成され、走行用の操作レバー１３,１３の下部がこのレバー貫通穴４４を貫通してフロア下に導入される。図１中、４５,４５は操作レバー１３,１３を貫通させた状態でレバー貫通穴４４の余剰隙間を塞ぐ蛇腹状のブーツである。
【００４０】
また、図１〜図３に示すように座板３８の左右両側に下向きに垂下するフロントカバー取付部４６,４６が設けられ、アッパーフレーム前面を覆うフロントカバー（図示しない）がこのフロントカバー取付部４６,４６に取付けられる。
【００４１】
さらに、フロントカバー取付部４６,４６にペダル取付穴４７,４７が設けられ、このペダル取付穴４７,４７を用いて図示しない操作ペダルが取付けられる。
【００４２】
このように、ハンドレール３２の両側支柱３３,３３の下端をアッパーフレーム底部３０ａの上面に取付けるとともに、この取付位置よりも高位置で両側支柱３３,３３間にフロアプレート取付用の座板３８を懸架固定し、フロアプレート３９の前端部をこの座板３８に取付ける構成としたから、両側支柱３３,３３をそれぞれ下端と中間の二個所で固定でき、かつ、荷重をこの二個所で分担できることにより、ハンドレール３２の取付強度、及びハンドレールそのものの強度を高めることができる。
【００４３】
また、この実施形態で挙げた鋳造製のアッパーフレーム３０の場合に、図９に示す従来構造のようにフロアプレート取付用の丈の高い取付ボス１９をアッパーフレーム底面に突設する必要がなくなるため、アッパーフレーム３０の鋳造が容易となり、鋳造コストが安くてすむ。
【００４４】
しかも、フロアプレート３９の前端部全体を座板３８で支持できるため、前端部左右両側の二点のみをボスに取付ける場合と比べて同プレート３９の取付強度を高めることができる。
【００４５】
また、両側支柱３３,３３に小形・軽量の座板３８を取付けた後、大形・大重量のフロアプレート３９の前端部をこの座板３８に載せて取付ける手順をとることができるため、組み付け性が良く、機械の組立が容易となる。
【００４６】
さらに、支柱下端にねじ穴３５付きの取付板３６を設ける一方、アッパーフレーム３０のハンドレール取付座３１に取付穴（貫通穴）３１ａを設け、取付ねじ３７を、取付穴３１を貫通する状態でねじ穴３５にねじ込むことによって支柱下端をアッパーフレーム３０に取付ける構成としたから、アッパーフレーム３０に面倒なねじ穴加工を施す必要がなくなる。このため、アッパーフレーム３０の加工コストを安くすることができる。
【００４７】
この場合、支柱下端（取付板３６,３６）をアッパーフレーム３０に対して裏側からねじ止めするため、表側からねじ止めする場合と比べて作業空間が広くて障害物もないことからアッパーフレーム３０に対する支柱下端の取付作業が容易となる。
【００４８】
加えて、従来、フロアプレートに組み付けられていたフロントカバーやペダル、操作レバー等のフロア組み付け部材を前記のように座板３８に組み付けることができる。このため、部品点数を節減してコストダウンし得るとともに、機械の組立が一層容易となる。
【００４９】
第２実施形態（図４〜図６参照）
第１実施形態との相違点のみを説明する。
【００５０】
第２実施形態においては、座板４８及びフロアプレート３９の左右方向中央部に左右一対の切欠４９,４９,５０,５０が、前者は後向きに、後者は前向きにそれぞれ開口して相対向する状態で設けられている。
【００５１】
この切欠４９,４９,５０,５０により、フロアプレート３９を取付けた状態で前後に長い長穴状のレバー貫通穴５１,５１（図５,６参照）が形成され、図１中に示す一対の操作レバー（図６には一方のみを示す）１３,１３の下部がこのレバー貫通穴５１,５１を貫通してフロア下に導入されるとともに、レバー貫通穴５１,５１の余剰隙間を塞ぐブーツ４５の下端部がレバー貫通穴５１,５１の周縁部に係合して止め付けられている。
【００５２】
この場合、フロアプレート３９を座板４８に取付けた後、ブーツ下端部をレバー貫通穴５１,５１に上から押し込んで穴周縁部に係合させる手順をとってもよいし、ブーツ下端部の前半周部を先に座板４８の切欠４９,４９の縁部に係合させた状態で、フロアプレート３９を、その切欠５０,５０の縁部がブーツ下端部の後半周部に係合する状態で座板４８に取付ける手順をとってもよい。
【００５３】
なお、図では座板本体４８ａの左右方向中央部に、切欠４９,４９を備えた別体の板材４８ｂ（図４,６のみに符号を付している）を取付けて座板４８を構成した場合を例示しているが、一枚物の座板に直接、切欠４９,４９を設けてもよい。
【００５４】
また、第２実施形態においても、第１実施形態のフロントカバー取付部４６,４６及びペダル取付穴４７,４７と同じものが設けられるが、ここでは図示省略している。
【００５５】
この構成によると、座板４８及びフロアプレート３９がブーツ取付部材を兼ねるため、ブーツ取付専用部材が不要となる分、部品点数及び組立工数を節減し、コストダウン及び組立性の向上を実現することができる。
【００５６】
ところで、操作レバー１３,１３の足元（フロア下）に設置されるリンクまわり等のメンテナンスは、フロアプレート３９及びブーツ４５,４５を取外した状態で行われる。
【００５７】
この場合、第１実施形態のように座板中央部を後向きにＵ字形に屈曲させてレバー貫通穴４４を形成した場合（図３参照）、屈曲部分がフロア下空間の一部を上から塞ぐ状態となってリンクまわり等のメンテナンスの邪魔になる。
【００５８】
これに対し、第２実施形態によると屈曲部分でなく切欠４９,４９によってレバー貫通穴５１を形成するため、フロア下の空間を大きく開放することができる。このため、リンクまわり等のメンテナンスの点で有利となる。
【００５９】
他の実施形態
（１）  上記実施形態では鋳造製のアッパーフレーム３０を用いる場合を例示したが、本発明は板金製アッパーフレームを用いる場合にも上記同様に適用することができる。
【００６０】
（２）  上記実施形態のようにハンドレール両側支柱３３,３３間に座板３８を取付け、この座板３８にフロアプレート３９の前端部を取付けることによって両側支柱３３,３３とフロアプレート３９とを間接的に結合する構成をとるのが望ましいが、フロアプレート３９の前端部を直接、両側支柱３３,３３に固定する構成をとってもよい。
【図面の簡単な説明】
【００６１】
【図１】本発明の第１実施形態におけるアッパーフレームにハンドレール及びフロアプレートを取付けた状態の斜視図である。
【図２】同、部分拡大側断面図である。
【図３】ハンドレール及びフロアプレートの斜視図である。
【図４】本発明の第２実施形態におけるハンドレール及びフロアプレートの斜視図である。
【図５】同、組立斜視図である。
【図６】図５の状態の一部拡大側断面図である。
【図７】本発明の好適例である小形ショベルの概略側面図である。
【図８】従来の板金製アッパーフレームを用いた小形ショベルのハンドレール取付構造を示す正面図である。
【図９】従来の鋳造製アッパーフレームを用いた小形ショベルのハンドレール取付構造を示す部分正面図である。
【符号の説明】
【００６２】
１  下部走行体
２  上部旋回体
３０  鋳造製のアッパーフレーム
３０ａ  アッパーフレームの底部
３０ｂ  アッパーフレームの立ち上がり縁部
３１  アッパーフレームのハンドレール取付座
３１ａ  ハンドレール取付座の取付穴
３２  ハンドレール
３３,３３  ハンドレールの両側支柱
３５  ねじ穴
３６,３６  両側支柱下端の取付板
３７  取付ねじ
３８  フロアプレート取付用の座板
３９  フロアプレート
４２  フロアプレート取付用のボルト
４３  同ナット
４５,４５  ブーツ
４８  フロアプレート取付用の座板
４９,４９  座板の切欠
５０,５０  フロアプレートの切欠
５１,５１  レバー貫通穴
【図１】
0004952661.tif 000002
【図２】
0004952661.tif 000003
【図３】
0004952661.tif 000004
【図４】
0004952661.tif 000005
【図５】
0004952661.tif 000006
【図６】
0004952661.tif 000007
【図７】
0004952661.tif 000008
【図８】
0004952661.tif 000009
【図９】
0004952661.tif 000010